(57)【要約】      （修正有）【課題】表紙を外側に折り返した場合にかさばらず、片手でも持ちやすく、使いやすいレポートパッドを提供する。【解決手段】第１の表紙部１０と、第２の表紙部２０と、第１の表紙部と第２の表紙部とを接続する背表紙部３０とを備えて見開き可能に形成され、第１の表紙部にレポート用紙を固定するレポート用紙固定部１３を備え、第１の表紙部と第２の表紙部は、外側部材と内側部材の間に芯材が接合されて形成されると共に、背表紙部は芯材を備えずに、内側にも外側にも折り曲げ可能に形成され、第２の表紙部を外側に折り返した場合に、背表紙が外側に曲がって、第１の表紙部と第２の表紙部の外側面全体が接するように折り返される。【選択図】図１
0003199667.tif 000002
【実用新案登録請求の範囲】
【請求項１】
折り返し可能に形成された本体にレポート用紙を収納するレポートパッドであって、
前記本体が、第１の表紙部と、第２の表紙部と、前記第１の表紙部と前記第２の表紙部とを接続する背表紙部とを備え、
前記第１の表紙部の内側面に、レポート用紙を固定するレポート用紙固定部が設けられ、
前記背表紙部が、内側にも外側にも折り曲げ可能に形成され、
前記本体が、前記第２の表紙部を外側に折り返した場合に、前記背表紙部が外側に折れ曲がることにより、前記第１の表紙部の外側面全体が前記第２の表紙部の外側面全体に接するように折り返されることを特徴とするレポートパッド。
【請求項２】
レポート用紙固定部は、第１の表紙部と幅が略同等で長さが短い矩形形状に形成され、前記長さ方向に相当する長辺が前記第１の表紙部の長辺に沿って縫合されると共に、前記幅方向に相当する短辺のいずれからでもレポート用紙を挿入可能としたことを特徴とする請求項１記載のレポートパッド。
【請求項３】
第１の表紙部及び第２の表紙部は、それぞれ、外側面を構成する外側部材と、内側面を構成する内側部材と、前記外側部材及び前記内側部材よりも小さく形成された芯材とを備え、
前記外側部材と前記内側部材との間に前記芯材が配置されると共に、前記外側部材と内側部材との間の前記芯材が配置されていない部分に、背表紙部が挟み込まれて縫合されていることを特徴とする請求項１又は２記載のレポートパッド。
【請求項４】
第２の表紙部の内側面にポケット部が設けられ、
前記ポケット部は、前記第２の表紙部と長さが略同等で幅が短い形状に形成され、前記長さ方向に相当する長辺の一方が、前記第２の表紙部の背表紙部に接続されていない長辺に沿って縫合されると共に、前記幅方向に相当する短辺が、それぞれ前記第２の表紙部の短辺に沿って縫合されていることを特徴とする請求項１乃至３のいずれか記載のレポートパッド。
【請求項５】
ポケット部が、カード用の差込口を備えていることを特徴とする請求項４記載のレポートパッド。
【考案の詳細な説明】
【技術分野】
【０００１】
本考案は、レポートパッドに係り、特に表紙を外側に折り返した場合にかさばらず、片手でも持ちやすく、使いやすいレポートパッドに関する。
【背景技術】
【０００２】
［先行技術の説明］
レポートパッドは、見開き可能に形成された本体に、レポート用紙を固定して収納するものであり、従来から、様々な形状のものがある。
このようなレポートパッドを使用する際には、例えば、レポートパッドの見開き内側の右側の面にレポート用紙の台紙を挿入して固定する。また、外出先など机のない場所で作業する場合には、左側の面となる表紙を外側に折り返して使用することがある。
【０００３】
しかし、従来のレポートパッドは、本体外側が皮革や合成皮革等で構成されているものが多く、背表紙部分が外側に曲がりにくくなっていた。
そのため、レポート用紙が固定されていない側の表紙（例えば左側の表紙）を外側に折り返そうとした場合に、左側の表紙が反発して折り返せなかったり、無理に押さえても右側の表紙との間に大きい空間ができてしまい、２枚の表側がぴったり重なって平らになるように折り返すことはできなかった。
【０００４】
レポートパッド等に関する従来技術としては、特許第４６８９１４７号公報「携帯用メモパッドケース」（株式会社レイメイ藤井、特許文献１）がある。
特許文献１には、長さ方向の中間部で折りたたみ可能な略長方形状の本体部の半分にメモパッド収納部を備え、メモパッド収納部が本体部の幅方向両端部近傍にそれぞれ設けられた一対のメモパッド固定部を有し、いずれのメモパッド固定部にもメモパッドを固定可能とすることで、利き手に関わらず快適に使用できるメモパッドケースが記載されている。
【先行技術文献】
【特許文献】
【０００５】
【特許文献１】特許第４６８９１４７号公報
【考案の概要】
【考案が解決しようとする課題】
【０００６】
しかしながら、上述したように、従来のレポートパッドでは、机上での使用時以外、例えば立って使用する場合などは、レポート用紙が固定されていない側の表紙を外側に折り返そうとした場合に、平らになるように折り返すことができず、かさばって片手で持ちにくく、更にレポート用紙に書き込む際にも不安定で使いにくいという問題点があった。
【０００７】
本考案は上記実状に鑑みて為されたもので、レポート用紙が固定されていない側の表紙を外側に折り返した場合に、平らになるように折り返すことができ、片手でも安定して持ちやすく、使いやすいレポートパッドを提供することを目的とする。
【課題を解決するための手段】
【０００８】
上記従来例の問題点を解決するための本考案は、折り返し可能に形成された本体にレポート用紙を収納するレポートパッドであって、本体が、第１の表紙部と、第２の表紙部と、第１の表紙部と第２の表紙部とを接続する背表紙部とを備え、第１の表紙部の内側面に、レポート用紙を固定するレポート用紙固定部が設けられ、背表紙部が、内側にも外側にも折り曲げ可能に形成され、本体が、第２の表紙部を外側に折り返した場合に、背表紙部が外側に折れ曲がることにより、第１の表紙部の外側面全体が第２の表紙部の外側面全体に接するように折り返されることを特徴としている。
【０００９】
また、本考案は、上記レポートパッドにおいて、レポート用紙固定部は、第１の表紙部と幅が略同等で長さが短い矩形形状に形成され、長さ方向に相当する長辺が第１の表紙部の長辺に沿って縫合されると共に、幅方向に相当する短辺のいずれからでもレポート用紙を挿入可能としたことを特徴としている。
【００１０】
また、本考案は、上記レポートパッドにおいて、第１の表紙部及び第２の表紙部は、それぞれ、外側面を構成する外側部材と、内側面を構成する内側部材と、外側部材及び内側部材よりも小さく形成された芯材とを備え、外側部材と内側部材との間に芯材が配置されると共に、外側部材と内側部材との間の芯材が配置されていない部分に、背表紙部が挟み込まれて縫合されていることを特徴としている。
【００１１】
また、本考案は、上記レポートパッドにおいて、第２の表紙部の内側面にポケット部が設けられ、ポケット部は、第２の表紙部と長さが略同等で幅が短い形状に形成され、長さ方向に相当する長辺の一方が、第２の表紙部の背表紙部に接続されていない長辺に沿って縫合されると共に、幅方向に相当する短辺が、それぞれ第２の表紙部の短辺に沿って縫合されていることを特徴としている。
【００１２】
また、本考案は、上記レポートパッドにおいて、ポケット部が、カード用の差込口を備えていることを特徴としている。
【考案の効果】
【００１３】
本考案によれば、折り返し可能に形成された本体にレポート用紙を収納するレポートパッドであって、本体が、第１の表紙部と、第２の表紙部と、第１の表紙部と第２の表紙部とを接続する背表紙部とを備え、第１の表紙部の内側面に、レポート用紙を固定するレポート用紙固定部が設けられ、背表紙部が、内側にも外側にも折り曲げ可能に形成され、本体が、第２の表紙部を外側に折り返した場合に、背表紙部が外側に折れ曲がることにより、第１の表紙部の外側面全体が第２の表紙部の外側面全体に接するように折り返されるレポートパッドとしているので、机のない場所で使用する際などに、かさばらないため片手でもしっかりと持って、安定して書き込むことができ、使い勝手を向上させることができる効果がある。
【００１４】
また、本考案によれば、レポート用紙固定部は、第１の表紙部と幅が略同等で長さが短い矩形形状に形成され、長さ方向に相当する長辺が第１の表紙部の長辺に沿って縫合されると共に、幅方向に相当する短辺のいずれからでもレポート用紙を挿入可能とした上記レポートパッドとしているので、使用者の利き手に応じてレポート用紙の差し込み方を変えることができ、利き手がどちらであっても使いやすい効果がある。
【００１５】
また、本考案によれば、第１の表紙部及び第２の表紙部は、それぞれ、外側面を構成する外側部材と、内側面を構成する内側部材と、外側部材及び内側部材よりも小さく形成された芯材とを備え、外側部材と内側部材との間に芯材が配置されると共に、外側部材と内側部材との間の芯材が配置されていない部分に、背表紙部が挟み込まれて縫合されている上記レポートパッドとしているので、芯材のない背表紙部は柔らかく、内側にも外側にも容易に折り曲げ可能とし、更に、第１の表紙部及び第２の表紙部には芯材を入れることで、強度を保持すると共に内部を保護できる効果がある。
【図面の簡単な説明】
【００１６】
【図１】本考案の実施の形態に係るレポートパッドを開いた状態の平面図である。
【図２】本レポートパッドを閉じた状態の平面図である。
【図３】図１のＡ−Ａ′部分の断面説明図である。
【図４】第２の表紙部２０を外側に折り返した状態を示す斜視図である。
【考案を実施するための形態】
【００１７】
本考案の実施の形態について図面を参照しながら説明する。
［実施の形態の概要］
本考案の実施の形態に係るレポートパッドは、見開き可能に形成された本体が、レポート用紙が固定される第１の表紙部と、第１の表紙と見開きになる第２の表紙部と、第１の表紙部と第２の表紙部とを接続する背表紙部とを備えており、背表紙部が内側にも外側にも折り曲げ可能であり、本体が、第２の表紙部を外側に折り返した場合に、背表紙部が外側に折れ曲がって、第１の表紙部の外側面全体が、第２の表紙部の外側面全体に接するように折り返されるものであり、２枚の表紙の外側同士がぴったり重なるように折り返されるため、片手でしっかりと持つことができ、レポート用紙に書き込む際にも安定して使いやすいものである。
【００１８】
また、本考案の実施の形態に係るレポートパッドは、第１の表紙部にレポート用紙を固定するレポート用紙固定部を備え、レポート用紙固定部が、第１の表紙部と幅がほぼ等しく長さが短く形成されており、長さ方向の２辺が第１の表紙部の長辺に沿って固定され、幅方向の２辺のいずれからでもレポート用紙を挿入可能として、利き手に関わらず使いやすくするものである。
【００１９】
［本レポートパッドの構成：図１］
本考案の実施の形態に係るレポートパッド（本レポートパッド）の構成について図１を用いて説明する。図１は、本レポートパッドを開いた状態の平面図である。
図１に示すように、本レポートパッド（本体）１は、向かって右側の第１の表紙部１０と、左側の第２の表紙部２０と、第１の表紙部１０と第２の表紙部２０とを接続する背表紙部３０とを備えた略長方形の形状に形成されている。
本レポートパッド１では、第１の表紙部１０と、背表紙部３０と、第２の表紙部２０とがそれぞれ独立した部材として形成された後、縫合されて一体の構成として形成されている。
【００２０】
第１の表紙部１０、第２の表紙部２０、背表紙部３０は、それぞれ、外側部材と内側部材とを備えており、各外側部材及び各内側部材は、皮革又は合成皮革で形成されている。
また、後述するように、第１の表紙部１０及び第２の表紙部２０は、外側部材と内側部材の間に芯材を挟んで縫合されており、強度を保つと共に内部を保護するようになっている。芯材は、変形しにくい紙製の板等で構成され、第１の表紙部１０及び第２の表紙部２０より若干小さめに形成されている。
【００２１】
一方、背表紙部３０には、芯材が設けられておらず、これにより背表紙部３０は、内側にも外側にも容易に折り曲げ可能となっている。
特に、背表紙部３０は、外側部材と内側部材が同等の質感と寸法を備えた折り曲げ可能な柔らかい素材で形成されており、背表紙部３０が外側と内側の両方に同じように曲がりやすくなっている。
【００２２】
図１に示すように、第１の表紙部１０の内側部材１１の上には、レポート用紙を固定して収納するレポート用紙固定部１３が設けられている。
レポート用紙固定部１３は、幅が第１の表紙部１０の幅と略同等で、長さが第１の表紙部１０の長さより短く形成されている。
そして、レポート用紙固定部１３の長さ方向の２辺（長辺）は、第１の表紙部１０の長辺に沿って縫合等により固定されている。
【００２３】
レポート用紙固定部１３の幅方向の２辺（短辺）は、第１の表紙部１０に縫合されておらず、挿入口となっており、２辺のいずれからでもレポート用紙を差し込んで固定することができるものである。
具体的には、右利きの場合、図１の状態でレポート用紙固定部１３の上側の短辺からレポート用紙の台紙を挿入して、レポート用紙が右側になるようにして使用し、左利きの場合、下側の短辺から挿入してレポートパッド１を１８０度回転させて、レポート用紙が左側になる状態にして使用する。
これにより、利用者の利き手がどちらであっても使いやすくすることができるものである。
また、レポート用紙固定部１３の短辺は、補強のために、皮を内側に織り込んでステッチ処理が施されている。
【００２４】
また、第２の表紙部２０の内側部材２１の上には、ポケット部２３が設けられている。
ポケット部２３は、長さが第２の表紙部２０と同程度で幅が狭く（図１の例では第２の表紙部の半分程度に）形成されており、両短辺が第２の表紙部２０の短辺に縫合されると共に、一方の長辺が、第２の表紙部２０の背表紙部３０に接続されていない長辺に縫合されている。
【００２５】
これにより、ポケット部２３は背表紙部３０方向に挿入口を備え、書類等を挿入して収納可能となっている。
このように、ポケット部２３が、第２の表紙部２０の長さ方向一杯に形成されていることにより、利き手に応じて上下反転させて用いた場合でも、ポケット部２３に挿入した紙片が落ちてしまう恐れがない。
また、図１の例では、挿入口に相当する辺の形状は、直線形状に形成されているが、それに限らず、略円弧状やＶ字形状であってもよい。
【００２６】
更に、ポケット部２３には、カード状の小片を差し込んで保持するための窓状の差込口２５が形成されている。
図１の例では、差込口２５は下寄りに形成されているが、上寄りに形成してもよいし、両方に形成してもよい。また、差込口の形状もこれに限るものではない。
【００２７】
［閉じた状態：図２］
次に、本レポートパッドを閉じた状態について図２を用いて説明する。図２は、本レポートパッドを閉じた状態の平面図である。
図２では、図１の状態から、左側の第２の表紙部２０を内側に折り曲げてレポートパッド１を閉じた状態を示しており、正面からは、第２の表紙部２０の外側部材２２と、背表紙部３０の外側部材３２の一部が見える状態となる。
【００２８】
［背表紙部の接続：図３］
次に、背表紙部３０の接続について図３を用いて説明する。図３は、図１のＡ−Ａ′部分の断面説明図である。
図３では、向かって右側に第１の表紙部１０、左側に第２の表紙部２０、中央に背表紙部３０が示されている。尚、わかりやすくするために、図３は厚み方向を拡大して示している。
図３に示すように、第１の表紙部１０は、外側部材１２の上に芯材１４が搭載され、その上に内側部材１１が搭載された状態で縫合されて形成されている。
ここで、芯材１４は、外側部材１２及び内側部材１１よりも長さ及び幅が短く形成されており、第１の表紙部１０の背表紙部３０に近い部分には、外側部材１２と内側部材１１との間に、芯材１４が配置されていない部分（空間）が残っている。
【００２９】
同様に、第２の表紙部２０側においても、外側部材２２、芯材２４、内側部材２１が積層されて配置され、背表紙部３０に近い部分には空間がある。
図３に示すように、背表紙部３０は、外側部材３２と内側部材３１とが貼り合わされて形成されており、芯材は設けられていない。
【００３０】
そして、第１の表紙部１０の芯材１４が配置されていない空間部分に背表紙部３０の一方の長辺が挿入されて、第１の表紙部１０の外側部材１２、背表紙部３０の一方の長辺、第１の表紙部１０の内側部材１１が一緒に縫合されて接続されている。
同様に、第２の表紙部２０の芯材２４が配置されていない空間部分に背表紙部３０の他方の長辺が挿入されて縫合されている。
【００３１】
このように、本考案では、従来のように表紙全体を同一の素材で一体に構成するのではなく、第１の表紙部１０、背表紙部３０、第２の表紙部２０を別のパーツとして形成し、特に背表紙部３０に芯材を入れないことにより、背表紙部３０を内側にも外側にも折り曲げ可能に形成しているものである。
【００３２】
また、芯材１４及び２４の幅を第１の表紙部１０及び第２の表紙部２０よりも短く形成し、第１の表紙部１０及び第２の表紙部２０に、芯材が配置されない空間部分を形成することにより、背表紙部３０と第１及び第２の表紙部１０，２０とを縫合可能としている。
それと共に、第１の表紙部１０及び第２の表紙部２０の背表紙３０寄りの部分には芯材が設けられておらず、外側にも内側にも曲げやすいため、表紙を折り返す際にスムーズに折り曲げ可能とするものである。
【００３３】
尚、第１の表紙部１０の背表紙３０に接しない３辺、つまり本体１の外周部に相当する３辺付近にも芯材１４が配置されない部分、つまり外側部材と内側部材のみから成る部分があり、この部分が縫合されて外側部材と内側部材の間に芯材１４を挟みこんで固定することにより、第１の表紙部１０が形成されている。
第２の表紙部２０についても同様である。
【００３４】
［表紙を外側に折り返した状態：図４］
次に、第２の表紙部２０を外側に折り返した状態について図４を用いて説明する。図４は、第２の表紙部２０を外側に折り返した状態を示す斜視図である。
図４では、第１の表紙部１０の内側部材１１の上に、レポート用紙固定部１３によってレポート用紙４が固定され、第２の表紙部２０が外側に折り返された状態を示している。
【００３５】
図４に示すように、本レポートパッド１では、第２の表紙部２０を外側に折り返した場合、背表紙部３０が外側に曲がって、第２の表紙部２０は第１の表紙部１０に重なる位置まで折り返される。
これにより、図４に示すように、第２の表紙部２０と第１の表紙部１０の外側面全体が接し、表紙の外側面同士が密着して、全体として平らな状態となる。
従来のレポートパッドのように、第２の表紙部２０が反発して折り返すことができなかったり、無理に手で抑えても第１の表紙部１０と第２の表紙部２０との間に大きな空間ができて、かさばる形状となってしまうことはない。
【００３６】
［考案の効果］
本考案の実施の形態に係るレポートパッドによれば、第１の表紙部１０と、第２の表紙部２０と、第１の表紙部１０と第２の表紙部２０とを接続する背表紙部３０とを備えて見開き可能に形成され、第１の表紙部１０にレポート用紙を固定するレポート用紙固定部１３を備え、第１の表紙部１０と第２の表紙部２０は、外側部材と内側部材の間に芯材１４又は２４が配置されて形成されると共に、背表紙部３０は芯材を備えずに、内側にも外側にも折り曲げ可能に形成され、第２の表紙部２０を外側に折り返した場合に、背表紙３０が外側に曲がって、第１の表紙部１０と第２の表紙部２０の外側面全体が接するように折り返されるようにしているので、一方の表紙を外側に折り返した場合に、表紙同士がぴったり重なるように折り返すことができ、片手でしっかりと持つことができると共に、レポート用紙に書き込む際にも安定し、使い勝手を向上させることができる効果がある。
【００３７】
また、本考案のレポートパッドによれば、レポート用紙固定部１３は、長さが第１の表紙部よりも短く形成され、幅が第１の表紙部と同等に形成されており、第１の表紙部の内側面に長辺に沿って固定され、幅方向には固定されていないので、幅方向のいずれの端部からでもレポート用紙を差し込んで固定することができ、ユーザの利き手がどちらであっても使いやすくすることができる効果がある。
【産業上の利用可能性】
【００３８】
本考案は、表紙を外側に折り返した場合にかさばらず、片手でも持ちやすく、使いやすいレポートパッドに適している。
【符号の説明】
【００３９】
１...本体、  １０...第１の表紙部、  １１，２１，３１...内側部材、  １２，２２，３２...外側部材、  １３...レポート用紙固定部、  １４，２４...芯材、  ２０...第２の表紙部、  ２３...ポケット部、  ２５...差込口、  ３０...背表紙部
【図１】
0003199667.tif 000003
【図２】
0003199667.tif 000004
【図３】
0003199667.tif 000005
【図４】
0003199667.tif 000006